(57)【特許請求の範囲】
【請求項１】
マスク本体部と、着用者の耳に掛けられる耳掛け部と、を有する使い捨てマスクであって、
前記マスク本体部は、
ウィルス飛沫及び細菌飛沫の少なくとも一方を捕集するフィルタ部材と、
前記フィルタ部材の肌面側に設けられ、かつ、吸熱剤が配された不織布と、
を有し、
前記吸熱剤は、キシリトールであり、
前記マスク本体部は、
上下方向及び左右方向を有し、
前記上下方向の中央部において、前記フィルタ部材及び前記不織布は、前記左右方向に沿う折り目によってプリーツ状に折り畳まれており、
前記マスク本体部の前記左右方向の両側部では、前記フィルタ部材及び前記不織布が前記プリーツ状に折り畳まれた状態で接合されており、
前記マスク本体部の前記左右方向の両側部では、前記上下方向の端部に比べて、前記上下方向の中央部の方が、前記吸熱剤の坪量が高いことを特徴とする使い捨てマスク。
【請求項２】
請求項１に記載の使い捨てマスクであって、
前記フィルタ部材の非肌側面は、前記マスク本体部の非肌側面の少なくとも一部を形成しており、
前記不織布の肌側面は、前記マスク本体部の肌側面の少なくとも一部を形成していることを特徴とする使い捨てマスク。
【請求項３】
請求項１又は２に記載の使い捨てマスクであって、
前記フィルタ部材は、ポリオレフィン系繊維からなる不織布が誘電分極されたシートであり、
前記吸熱剤は、アルコールを含まないことを特徴とする使い捨てマスク。
【請求項４】
請求項１から３の何れか１項に記載の使い捨てマスクであって、
前記フィルタ部材の外周端と、前記不織布の外周端とが一致していることを特徴とする使い捨てマスク。
【請求項５】
請求項１から４の何れか１項に記載の使い捨てマスクであって、
前記フィルタ部材は、前記不織布に比べて、前記吸熱剤の坪量が低いことを特徴とする使い捨てマスク。
【請求項６】
請求項５に記載の使い捨てマスクであって、
前記フィルタ部材には前記吸熱剤が配されていないことを特徴とする使い捨てマスク。
【請求項７】
請求項１から６の何れか１項に記載の使い捨てマスクであって、
前記耳掛け部は、前記マスク本体部の肌側面に接合されていることを特徴とする使い捨てマスク。
【請求項８】
請求項１から７の何れか１項に記載の使い捨てマスクであって、
前記吸熱剤は、前記不織布を構成する繊維の少なくとも一部に練りこまれていることを特徴とする使い捨てマスク。
【請求項９】
請求項１から７の何れか１項に記載の使い捨てマスクであって、
前記吸熱剤は、前記不織布の肌側面に塗布されていることを特徴とする使い捨てマスク。
【請求項１０】
請求項１から９の何れか１項に記載の使い捨てマスクであって、
前記不織布は、親水性繊維を含むことを特徴とする使い捨てマスク。
【請求項１１】
請求項１から１０の何れか１項に記載の使い捨てマスクであって、
前記フィルタ部材の通気抵抗値は、０．４５ｋＰａ・ｓ／ｍ以下であることを特徴とする使い捨てマスク。
【発明の詳細な説明】
【技術分野】
【０００１】
本発明は、使い捨てマスクに関する。
【背景技術】
【０００２】
マスクは、着用者の顔面に接触して使用されるため、特許文献１には、マスクの最内層材に保湿剤、湿潤剤を付与することが開示されている。このようなマスクによれば、装着時の肌触りが良好で、しっとり感が得られる。
【先行技術文献】
【特許文献】
【０００３】
【特許文献１】特開２０１９−５２４００号公報
【発明の概要】
【発明が解決しようとする課題】
【０００４】
マスクには、着用者の湿った息によりマスク内の空間が蒸れやすいという問題がある。特に夏の暑い時期には、長時間のマスクの着用により熱中症が発生する恐れがある。特許文献１のマスクには保湿剤が付与されているため、マスクと接触した肌部分において、着用者はひんやり感（接触冷感）が得られる。  
しかし、保湿剤による冷感は、保湿剤の温度と着用者の体温との温度差による冷感である。そのため、外気温と同程度の温度となる保湿剤による接触冷感では、冷感効果が低く、マスク内の蒸れを改善するには不十分である。また、通常、マスクの外周端は着用者の肌に密着しやすいが、マスクの中央部では着用者との間に空間が生じやすい。そのため、着用者の息により蒸れやすいマスクの中央部において、着用者の肌は保湿剤と接触し難く、着用者は冷感を実感し難い。
【０００５】
本発明は、上記のような問題に鑑みてなされたものであって、その目的とするところは、マスク内の蒸れを改善し、着用者が冷感を実感しやすい使い捨てマスクを提供することにある。
【課題を解決するための手段】
【０００６】
上記目的を達成するための主たる発明は、
マスク本体部と、着用者の耳に掛けられる耳掛け部と、を有する使い捨てマスクであって、
前記マスク本体部は、
ウィルス飛沫及び細菌飛沫の少なくとも一方を捕集するフィルタ部材と、
前記フィルタ部材の肌面側に設けられ、かつ、吸熱剤が配された不織布と、
を有し、
前記吸熱剤は、キシリトールであり、
前記マスク本体部は、
上下方向及び左右方向を有し、
前記上下方向の中央部において、前記フィルタ部材及び前記不織布は、前記左右方向に沿う折り目によってプリーツ状に折り畳まれており、
前記マスク本体部の前記左右方向の両側部では、前記フィルタ部材及び前記不織布が前記プリーツ状に折り畳まれた状態で接合されており、
前記マスク本体部の前記左右方向の両側部では、前記上下方向の端部に比べて、前記上下方向の中央部の方が、前記吸熱剤の坪量が高いことを特徴とする使い捨てマスクである。
本発明の他の特徴については、本明細書及び添付図面の記載により明らかにする。                                                              
【発明の効果】
【０００７】
本発明によれば、マスク内の蒸れを改善し、着用者が冷感を実感しやすい使い捨てマスクを提供することができる。
【図面の簡単な説明】
【０００８】
【図１】第１実施形態の使い捨てマスク１の平面図である。
【図２】図１のI−I線におけるマスク１の断面図である。
【図３】マスク１の着用状態を示す図である。
【図４】図４Ａは第２実施形態の使い捨てマスク２の折り畳み状態を示す平面図であり、図４Ｂは展開状態のマスク２の正面図である。
【図５】着用状態のマスク２の正面図である。
【図６】着用状態のマスク２を上から見た概略図である。
【発明を実施するための形態】
【０００９】
本明細書及び添付図面の記載により、少なくとも以下の事項が明らかとなる。
マスク本体部と、着用者の耳に掛けられる耳掛け部と、を有する使い捨てマスクであって、前記マスク本体部は、ウィルス飛沫及び細菌飛沫の少なくとも一方を捕集するフィルタ部材と、前記フィルタ部材の肌面側に設けられ、かつ、吸熱剤が配された不織布と、
を有する。
【００１０】
このような使い捨てマスクによれば、吸熱剤が着用者の湿った息に接触して吸熱反応を起こし、マスク内の空間温度が下がるため、マスク内の蒸れを改善できる。また、フィルタ部材によって、着用者の息及び吸熱剤がマスク内の空間に留まりやすい。そのため、着用者の息と吸熱剤の接触時間が増えて冷感効果が高まり、また、冷感効果の持続性が高まる。よって、着用者がマスクの冷感を実感しやすくなる。
【００１１】
かかる使い捨てマスクであって、前記吸熱剤は、糖アルコール類、及び、糖類のうちの何れか１つを含む。
【００１２】
このような使い捨てマスクによれば、吸熱剤が着用者の口元に触れた際にも安全である。
【００１３】
かかる使い捨てマスクであって、前記フィルタ部材の非肌側面は、前記マスク本体部の非肌側面の少なくとも一部を形成しており、前記不織布の肌側面は、前記マスク本体部の肌側面の少なくとも一部を形成している。
【００１４】
このような使い捨てマスクによれば、マスク本体部において厚さ方向に積層される資材の数が少なくなるため、マスク内の蒸れを改善できる。
【００１５】
かかる使い捨てマスクであって、前記フィルタ部材は、ポリオレフィン系繊維からなる不織布が誘電分極されたシートであり、前記吸熱剤は、アルコールを含まない。
【００１６】
このような使い捨てマスクによれば、吸熱剤のアルコール成分によって、フィルタ部材の捕集効果が軽減してしまうことを抑制できる。
【００１７】
かかる使い捨てマスクであって、前記吸熱剤は、不揮発性である。
【００１８】
このような使い捨てマスクによれば、マスクの使用前から吸熱剤が揮発してフィルタ部材に付着し、フィルタ部材の捕集効果が軽減してしまうことを抑制できる。
【００１９】
かかる使い捨てマスクであって、前記フィルタ部材の外周端と、前記不織布の外周端とが一致している。
【００２０】
このような使い捨てマスクによれば、マスク本体部の平面の広範囲に亘り、不織布（吸熱剤）を配することができ、マスク内の広範囲の空間温度を下げることができる。マスク本体部の平面の広範囲に亘り、フィルタ部材を配することができ、フィルタ部材の捕集効果が高まる。
【００２１】
かかる使い捨てマスクであって、前記フィルタ部材は、前記不織布に比べて、前記吸熱剤の坪量が低い。
【００２２】
このような使い捨てマスクによれば、着用者に近い不織布に多くの吸熱剤が配されることで、着用者に近い位置にて吸熱反応が起こりやすく、着用者は冷感を実感しやすくなる。また、フィルタ部材に吸熱剤が付着していることによりフィルタ部材の捕集効果が軽減してしまうことを抑制できる。
【００２３】
かかる使い捨てマスクであって、前記フィルタ部材には前記吸熱剤が配されていない。
【００２４】
このような使い捨てマスクによれば、フィルタ部材に吸熱剤が付着していることによりフィルタ部材の捕集効果が軽減してしまうことを抑制できる。
【００２５】
かかる使い捨てマスクであって、前記マスク本体部は、上下方向及び左右方向を有し、前記上下方向の中央部において、前記フィルタ部材及び前記不織布は、前記左右方向に沿う折り目によってプリーツ状に折り畳まれており、前記マスク本体部の前記左右方向の両側部では、前記フィルタ部材及び前記不織布が前記プリーツ状に折り畳まれた状態で接合されており、かつ、前記上下方向の端部に比べて、前記上下方向の中央部の方が、前記吸熱剤の坪量が高い。
【００２６】
このような使い捨てマスクによれば、着用者の鼻孔や口元に近い上下方向の中央部において、より多くの吸熱剤が着用者の息と接触でき、冷感効果が高まる。また、マスク本体部の左右方向両側部は着用者の頬に接触するため、その部分において吸熱剤の坪量が高い部分を設けることで、着用者は冷感を実感しやすくなる。
【００２７】
かかる使い捨てマスクであって、前記マスク本体部は、上下方向、左右方向、及び厚さ方向を有し、前記マスク本体部の上端部及び下端部の少なくとも一方は、前記フィルタ部材及び前記不織布が非肌面側に折り返された折返し部を有し、前記厚さ方向に前記折返し部と重なる前記マスク本体部の非折返し部において、前記不織布の肌側面に前記吸熱剤が配されている。
【００２８】
このような使い捨てマスクによれば、マスク本体部の上下端部において、吸熱剤が配された不織布がフィルタ部材で肌側から覆われてしまうことを防止できる。よって、着用者に近い位置にて吸熱反応が起こりやすく、着用者は冷感を実感しやすくなる。
【００２９】
かかる使い捨てマスクであって、前記マスク本体部の前記上端部は、前記折返し部を有し、当該折返し部における前記不織布の非肌側面に前記吸熱剤が配されている。
【００３０】
このような使い捨てマスクによれば、マスクの外に排出された息が上昇する際に、折り返し部の非肌側面（外側面）の吸熱剤に接触しやすく、マスク本体部の上端部付近の温度を下げることができる。また、息の温度も下がるため、着用者の眼鏡が曇り難くなる。
【００３１】
かかる使い捨てマスクであって、前記マスク本体部は、着用者の右顔面及び左顔面をそれぞれ覆う一対のシート部と、前記一対のシート部を接合する接合部を有し、前記使い捨てマスクの着用状態において、前記マスク本体部は、上下方向、及び、左右方向を有し、前記マスク本体部の前記左右方向の中央部は、前記左右方向の両端部に比べて前記吸熱剤の坪量が高い高坪量部を有する。
【００３２】
このような使い捨てマスクによれば、着用者の鼻孔や口元に近いマスク本体部の左右方向の中央部において、より多くの吸熱剤が着用者の息と接触することができ、冷感効果が高まる。
【００３３】
かかる使い捨てマスクであって、前記高坪量部は、前記マスク本体部の上端から下端まで前記上下方向に連続して配されている。
【００３４】
このような使い捨てマスクによれば、着用者の鼻孔や口元に近いマスク本体部の左右方向の中央部において、より多くの吸熱剤が着用者の息と接触することができ、冷感効果が高まる。
【００３５】
かかる使い捨てマスクであって、前記耳掛け部は、前記マスク本体部の肌側面に接合されている。
【００３６】
このような使い捨てマスクによれば、耳掛け部が接合されたマスク本体部の部分（着用者の肌に密着しやすい部分）において、不織布よりも肌側に耳掛け部が設けられるため、吸熱剤が着用者の肌に直接に強く密着してしまうことを防止できる。
【００３７】
かかる使い捨てマスクであって、前記吸熱剤は、前記不織布を構成する繊維の少なくとも一部に練りこまれている。
【００３８】
このような使い捨てマスクによれば、不織布から吸熱剤が脱落し難く、吸熱剤による冷感効果の持続性が高まる。
【００３９】
かかる使い捨てマスクであって、前記吸熱剤は、前記不織布の肌側面に塗布されている。
【００４０】
このような使い捨てマスクによれば、着用者に近い位置に吸熱剤が配され、吸熱剤が着用者の息と接触しやすくなるため、冷感効果が高まる。
【００４１】
かかる使い捨てマスクであって、前記不織布は、親水性繊維を含む。
【００４２】
このような使い捨てマスクによれば、不織布の親水性繊維によって不織布内に水分が保持されやすくなり、吸熱剤の吸熱反応が起こりやすくなるため、冷感効果が高まる。
【００４３】
かかる使い捨てマスクであって、前記フィルタ部材の通気抵抗値は、０．４５ｋＰａ・ｓ／ｍ以下である。
【００４４】
このような使い捨てマスクによれば、フィルタ部材の通気性が良いため、マスク内が蒸れ難くなる。
【００４５】
＝＝第１実施形態＝＝＝
図１は、第１実施形態の使い捨てマスク１（以下「マスク」とも呼ぶ）の平面図である。図２は、図１のI−I線におけるマスク１の断面図である。図３は、マスク１の着用状態を示す図である。
【００４６】
（マスク１の基本構成）
マスク１は、少なくとも着用者の口元と鼻孔を覆うことができるマスク本体部１０と、着用者の耳に掛けられる耳掛け部２０を有する。マスク本体部１０は、上下方向、左右方向、及び厚さ方向を有する。厚さ方向において、着用者の顔面と対向する内側を肌側又は肌面側とも呼び、その反対側である外側を非肌側又は非肌面側とも呼ぶ。
【００４７】
使用前のマスク本体部１０は、厚さ方向から見た平面視（図１）において、左右方向に長い矩形形状を成している。マスク本体部１０は、ウィルス飛沫及び細菌飛沫の少なくとも一方を捕集するフィルタ部材１１と、フィルタ部材１１の肌面側に設けられた肌側不織布（不織布）１２と、サイドシート１３と、を有する。
【００４８】
フィルタ部材１１は、ウィルス飛沫や細菌飛沫や花粉等の微粒子の捕集効果が高い部材である。具体的には、フィルタ部材１１は、ＢＦＥ（バクテリアろ過効率試験：試験粒子約３μｍ）が９５％以上であることと、ＶＦＥ（ウィルスろ過効率試験：試験粒子約１．７μｍ）が９５％以上であることと、の少なくとも一方を満たす部材であることが好ましい。
【００４９】
フィルタ部材１１としては、ポリオレフィン系繊維からなる不織布が誘電分極された（エレクトレット処理された）シートを例示できる。エレクトレット処理によって、ポリオレフィン系繊維表面に所定量の正電荷或いは負電荷を与えて分極させた誘電状態が形成され、捕集機能が得られる。
【００５０】
具体的には、フィルタ部材１１として、ポリオレフィン系繊維であるポリプロピレン繊維を含み、エレクトレット処理されたメルトブロー不織布と、ポリプロピレン繊維を含み、エレクトレット処理されたスパンボンド不織布とが、一体状に形成された、継ぎ目等のない１枚の不織布シートを例示できる。肌側に配されるメルトブロー不織布の平均繊維径が０．５〜３μｍ、坪量が１．５〜５ｇ／ｍ２であるとよい。非肌側に配されるスパンボンド不織布の平均繊維径が１５〜３０μｍ、坪量が１８〜５０ｇ／ｍ２であるとよい。また、上記不織布は、ポリプロピレン繊維のみによって構成されてもよいし、ポリプロピレン繊維に例えばポリエチレン繊維が付加されたものであってもよい。また、非肌側の不織布は、スパンボンド不織布に限らず、スパンレース不織布、エアスルー不織布、ニードルパンチ不織布であってもよい。ただし、上記に限定されず、フィルタ部材１１はエレクトレット処理されていないものであってもよい。例えば、繊維間隙の小さい部材であり、繊維間隙にウィルス飛沫等を付着させて捕集する部材（ナノフィルタ等）をフィルタ部材１１としてもよい。
【００５１】
肌側不織布１２には、吸熱剤３０が配されている。肌側不織布１２は、吸熱剤３０を配することが可能な不織布であればよい。好ましくは、肌触りの良い不織布であるとよく、ポロプロピレン繊維を含むスパンボンド不織布等を例示できる。
【００５２】
第１実施形態のマスク１は、マスク本体部１０の上下方向の中央部において、フィルタ部材１１及び肌側不織布１２が、左右方向に沿う折り目Ｆによってプリーツ状に折り畳まれて、襞が形成されたプリーツタイプである。図２に示すマスク本体部１０は、非肌側から視認可能な４つの折り目Ｆ１〜Ｆ４と、肌側から視認可能な４つの折り目Ｆ５〜Ｆ８とを有する。折り目Ｆ１〜Ｆ３，Ｆ８は上側に凸となる山折り部であり、折り目Ｆ４，Ｆ５〜Ｆ７は下側に凸となる谷折り部である。ただし、折り目Ｆの数や向きは図２に例示する構成に限定されない。
【００５３】
使用前のマスク１では、プリーツ状の折り畳み形状が維持されており、マスク本体部１０はほぼ平坦な状態である。プリーツ状の折り目Ｆによって、マスク本体部１０は上下方向に広がることが可能となり、また、非肌側にΩ形状に隆起可能となる。よって、図３に示すように、マスク１の着用者は、鼻から顎までの長さに応じてマスク本体部１０を上下方向に広げ、マスク本体部１０で口元と鼻孔を覆うことができる。
【００５４】
また、マスク本体部１０の上端部及び下端部は、それぞれフィルタ部材１１及び肌側不織布１２が非肌面側に折り返された折返し部１０１を有する。なお、以下の説明では、厚さ方向に折返し部１０１と重なるマスク本体部１０の部位を非折返し部１０２と呼ぶ。折返し部１０１によって、マスク本体部１０の上下端部の強度が高まる。また、フィルタ部材１１及び肌側不織布１２の開きを抑制できる。
【００５５】
サイドシート１３は、左右方向におけるマスク本体部１０の両側部に設けられている。プリーツ状の折り目Ｆと上下の折返し部１０１とが維持されたフィルタ部材１１及び肌側不織布１２の左右方向の両側部を、肌側及び非肌側から挟むように、サイドシート１３が設けられている。サイドシート１３は、通気性や肌触りが良好なシートであることが好ましく、例えば、メルトブロー不織布、スパンボンド不織布、ＳＭＳ不織布、エアスルー不織布等を例示できる。
【００５６】
マスク本体部１０は、重なり合うシート同士を接合一体化する溶着部１４、例えば熱溶着や超音波溶着等による溶着部１４を有する。図１に示すように、マスク本体部１０の横方向の両側部では、フィルタ部材１１、肌側不織布１２、及びサイドシート１３を接合する複数の溶着部１４が上下方向に沿って設けられている。マスク本体部１０の上下端部及び上下方向の中央部では、フィルタ部材１１及び肌側不織布１２を接合する複数の溶着部１４が左右方向に沿って設けられている。ただし、溶着部１４のパターンは図１に例示するものに限定されない。また、重なり合うシート同士は接着剤等（例えばホットメルト接着剤）で接合されていてもよい。
【００５７】
また、図２に示すように、マスク本体部１０の上端部では、折り返し部１０１におけるフィルタ部材１１と非折返し部１０２におけるフィルタ部材１１の間に、形状保持部材１５が配されている。形状保持部材１５は、薄板矩形の部材であり、着用者が容易に曲げることができると共に、再び外力が掛からない限り、その形状が保持される部材である。形状保持部材１５として、可撓性の熱可塑性樹脂や金属片で形成されたもの等を例示できる。マスク１の着用者は、鼻の形に合わせて形状保持部材１５を変形させることができ、マスク本体部１０の上端部と着用者の顔面との間に隙間が生じてしまうことを抑制できる。また、形状保持部材１５の上下方向の両側に溶着部１４が設けられ、形状保持部材１５の位置ずれが抑制されている。
【００５８】
耳掛け部２０は、マスク本体部１０の左右方向の両側部からそれぞれ延出したリング状の部材である。耳掛け部２０は、伸縮性を有する部材であることが好ましく、例えば、ゴム紐、伸縮性不織布、伸縮性フィルム等を例示できる。図１に例示する耳掛け部２０は、ゴム紐であり、マスク本体部１０の非肌側面に、接合部１６によって接合されている。ゴム紐（２０）の一端は、マスク本体部１０の上端部の接合部１６にて接合され、ゴム紐（２０）の他端は、マスク本体部１０の下端部の接合部１６にて接合されている。接合部１６の接合としては、溶着や接着剤による接合を例示できる。
【００５９】
（吸熱剤３０を有するマスク１について）
本実施形態のマスク１は、洗濯しながら繰り返し使用されるガーゼ等で形成されたマスクとは異なり、ウィルス飛沫や細菌飛沫を捕集するフィルタ部材１１を備える。そのため、洗濯によってフィルタ部材１１の捕集効果が軽減してしまうことを防止するために、本実施形態のマスク１は使い捨て用として使用されることを想定したマスクである。
【００６０】
マスクの着用により、ウィルス飛沫等の微粒子の侵入を抑制できる一方で、着用者の湿った息でマスク内の空間が蒸れやすいという問題が生じる。特に夏の暑い時期等には、マスク内の蒸れで熱中症が発生する恐れがある。
【００６１】
そこで、本実施形態のマスク１では、フィルタ部材１１の肌面側に、吸熱剤３０が配された肌側不織布１２が設けられている。吸熱剤３０とは、水と反応して吸熱反応を起こす剤である。
【００６２】
そのため、着用者の湿った息が肌側不織布１２の吸熱剤３０に接触し、吸熱剤３０が吸熱反応を起こし、マスク１内の空間温度が低下するため、マスク１内の蒸れが改善される。その結果、マスク１の着用による息苦しさを軽減でき、熱中症の発生を抑制できる。
【００６３】
特に、ウィルス飛沫等を捕集するフィルタ部材１１は、肌側不織布１２に比べて通気性が低い（通気抵抗値が高い）。そのため、フィルタ部材１１を有さないガーゼ等のマスクに比べて、本実施形態のマスク１では、着用者の息がマスク１の外に排出され難く、マスク1内の空間の密閉度が高い。つまり、着用者の吐いた息や吸熱剤３０がフィルタ部材１１を通過し難く、マスク１内の空間に留まりやすい。よって、着用者の息と吸熱剤３０の接触時間が増え、マスク１内の空間温度が低下しやすく、マスク１内の蒸れが改善されやすい。そのため、着用者はマスク１内の冷感を実感しやすくなる。また、着用者の呼吸によって、吸熱剤３０を含んだ息がフィルタ部材１１の内側において循環しやすいため、冷感効果の持続性も高まる。これによっても、着用者はマスク１内の冷感を実感しやすくなる。
【００６４】
また、マスク１は形状保持部材１５を有することが好ましい。そうすることで、マスク１と着用者（顔面）との間に隙間が生じ難く、マスク１内の空間の密閉度が高まる。そのため、着用者の息と吸熱剤３０の接触時間や循環が増えて、冷感効果やその持続性が高まる。ただし上記に限らず、マスク１は形状保持部材１５を有していなくてもよい。
【００６５】
また、本実施形態のマスク１とは異なり、例えばマスクに配された保湿剤等を着用者の肌に接触させることで、ひんやり感（接触冷感）を着用者に付与する場合、保湿剤の温度と着用者の体温との温度差による冷感となる。そのため、外気温が高く、外気温と同程度となる保湿剤の温度が高い場合には、冷感効果が低く、マスク内の蒸れを改善するには不十分であり、着用者は冷感を実感し難い。また、通常、マスクの外周端は着用者の肌に密着しやすいが、マスクの中央部では着用者との間に空間が生じやすい。そのため、接触冷感を付与するマスクでは、着用者の息により蒸れやすいマスクの中央部（鼻孔や口元部分）において、着用者の肌は保湿剤と接触し難く、着用者は冷感を実感し難い。
【００６６】
これに対して、本実施形態のマスク１では、吸熱剤３０の吸熱反応を利用する。そのため、外気温に影響され難く、夏の暑い時期にもマスク１内の空間温度を下げることができ、マスク１内の蒸れを改善できる。また、本実施形態のマスク１では、マスク１内の空間温度を下げるため、マスク１と着用者の肌が接触していない部分でも、着用者は冷感を実感できる。特に、着用者の息により蒸れやすいが、着用者の肌と空間が生じやすいマスク１の中央部（鼻孔や口元部分）においても、着用者は冷感を実感できる。
【００６７】
吸熱剤３０（吸熱成分）としては、糖アルコール類、及び、糖類のうちの何れか１つを含むことが好ましい。糖アルコール類としては、キシリトール、エリスリトール、デキストロース、ソルビトール等を例示できる。糖類としては、トレハロース、スクロース（ショ糖）、ラクトース（乳糖）、マルトース（麦芽糖）等を例示できる。これらの吸熱剤３０であれば、マスク１の着用者の口元に触れた際にも安全である。
【００６８】
また、吸熱剤３０は、肌側不織布１２を構成する繊維の少なくとも一部に練り込まれているとよい。つまり、肌側不織布１２を形成する前段階で吸熱剤３０が配されるように、例えば、肌側不織布１２を形成する前の繊維ウェブを吸熱剤３０（溶液）に含浸させたり、樹脂に吸熱剤３０を混ぜてから繊維を形成したりするとよい。また、吸熱剤３０が混ざったバインダーを繊維ウェブに塗布してもよい。
【００６９】
そうすることで、肌側不織布１２から吸熱剤３０が脱落し難く、徐々に吸熱剤３０の機能が発揮され、吸熱剤３０による冷感効果の持続性が高まる。また、マスク１の使用前から吸熱剤３０がフィルタ部材１１に付着して、フィルタ部材１１の捕集機能が低下してしまうことを抑制できる。
【００７０】
しかし、上記に限定されず、肌側不織布１２を構成する繊維の表面に吸熱剤３０を配してもよい。例えば、噴霧法やローラーコート法、刷毛塗り法等の各種公知の塗布方法で、肌側不織布１２に吸熱剤３０を塗布したり、吸熱剤３０（溶液）に肌側不織布１２を浸漬したりするとよい。この場合、吸熱剤３０が着用者の息と接触しやすく、吸熱反応が起こりやすいため、冷感効果が高まる。
【００７１】
より好ましくは、吸熱剤３０は、肌側不織布１２の肌側面に塗布されているとよい。そうして、吸熱剤３０を着用者に近い位置に配することで、吸熱剤３０は着用者の息とより接触しやすくなり、冷感効果が高まる。また、着用者に近い位置にて吸熱反応が起こるため、マスク１内の空間温度が下がりやすく、着用者は冷感を実感しやすくなる。ただし、上記に限定されず、肌側不織布１２の非肌側面又は両面に吸熱剤３０が塗布されていてもよい。
【００７２】
なお、吸熱剤３０は、液体状であっても、固体状（ジェル状、粉体状等も含む）であってもよい。また、吸熱剤３０を内包したマイクロカプセルを肌側不織布１２に配し、物理的又は化学的な刺激（例えば熱、圧力、衝撃、光、液体等）により吸熱剤３０を放出させるようにしてもよい。また、吸熱剤３０には、吸熱作用を有する吸熱成分を溶解、分散させる溶媒も含まれるものとする。
【００７３】
また、吸熱剤３０は、肌側不織布１２の平面全域に配されていてもよいし、肌側不織布１２の平面の一部に配されていてもよい。また、吸熱剤３０は、肌側不織布１２に一定の坪量（単位面積当たりの量：ｇ／ｍ２）で配されていてもよいし、肌側不織布１２の領域に応じて異なる坪量で配されていてもよい。
【００７４】
また、肌側不織布１２は、親水性繊維を含むことが好ましい。より好ましくは、肌側不織布１２に親水性繊維が５０％以上含まれているとよい。そうすることで、肌側不織布１２では、着用者の息に含まれる水分が保持されやすく、肌側不織布１２の吸熱剤３０が水分と接触しやすくなり、接触時間も長くなる。よって、吸熱剤３０による吸熱反応が起こりやすく、冷感効果が高まる。
【００７５】
親水性繊維としては、例えば、レーヨン等の再生セルロース繊維、コットンや粉砕パルプ等の天然セルロース繊維、アセテート等の半合成セルロール繊維等が挙げられる。また、疎水性繊維（例えば、ポリエチレン繊維やポリプロピレン繊維等）に、親水性処理を施して、親水性に変性させた繊維であってもよい。親水性繊維の判断は、例えば、繊維の接触角が９０度未満であれば、親水性が高い繊維と判断できる。ただし上記に限定されず、肌側不織布１２が親水性繊維を含まなくてもよいとする。
【００７６】
また、フィルタ部材１１の非肌側面は、マスク本体部１０の非肌側面の少なくとも一部を形成しており、肌側不織布１２の肌側面は、マスク本体部１０の肌側面の少なくとも一部を形成していることが好ましい。そうすることで、マスク本体部１０において厚さ方向に積層されるシートの数が少なくなり、マスク１内の空間を蒸れ難くすることができる。本実施形態のマスク本体部１０では、サイドシート１３が配された左右方向の両側部以外の領域は、２枚の不織布（フィルタ部材１１及び肌側不織布１２）で構成されている。
【００７７】
また、上記の場合、吸熱剤３０が配された肌側不織布１２がマスク本体部１０の最も肌側に位置する。そのため、吸熱剤３０は着用者の息と接触しやすくなり、冷感効果が高まる。また、着用者に近い位置にて吸熱反応が起こるため、マスク１内の空間温度が下がりやすく、着用者は冷感を実感しやすくなる。
【００７８】
また、マスク本体部１０の左右方向及び上下方向の中央部には、サイドシート１３が位置せず、２枚の不織布で構成されることに加えて、上下の折返し部１０１も位置しない（プリーツ状の折り目Ｆは位置するが、この折り目Ｆは着用状態において上下方向に広げられる）。つまり、着用者の鼻孔や口元が位置して蒸れやすいマスク１の部分において、厚さ方向に積層されるシート数がほぼ２枚となるため、マスク１内の空間を蒸れ難くすることができる。
【００７９】
ただし、マスク本体部１０の構成は上記に限定されず、例えば、フィルタ部材１１よりも非肌側や、肌側不織布１２よりも肌側、フィルタ部材１１と肌側不織布１２の間に、別のシートが配されていてもよい。
【００８０】
また、フィルタ部材１１の通気抵抗値は、０．４５ｋＰａ・ｓ／ｍ以下であるとよく、好ましくは、０．３ｋＰａ・ｓ／ｍ以下であるとよい。フィルタ部材１１の通気抵抗値が０．４５ｋＰａ・ｓ／ｍよりも高い場合、マスク１が吸熱剤３０を有していても、着用者がマスク１内の蒸れを感じやすくなる恐れがある。そのため、吸熱剤３０の冷感効果に加えて、フィルタ部材１１の通気性を適度に保つことで、夏の暑い時期等にも、マスク１内の蒸れを改善できる。
【００８１】
ただし、フィルタ部材１１の通気抵抗値は、肌側不織布１２の通気抵抗値よりも高いことが好ましい。そうすることで、着用者の息や吸熱剤３０がマスク１内の空間において適度に留まり、着用者の息と吸熱剤３０の接触時間が増えるため、吸熱効果及びその持続性も高まる。
【００８２】
フィルタ部材１１の通気抵抗値の測定は、周知の方法で行うことができる。例えば、コールドスプレー等を用いてマスク１からフィルタ部材１１を分離し、フィルタ部材１１を所定の大きさ（例えば直径１００ｍｍの円形）に切り出してサンプルとする。そして、カトーテック社製通気性試験機（ＫＥＳ−Ｆ８）又はそれと同等の通気性試験機を用いて、標準通気速度を２ｃｍ／ｓに設定し、サンプルの通気抵抗値を測定する。かかる測定を複数回（例えば５回）行い、その平均値を、フィルタ部材１１の通気抵抗値とすることができる。
【００８３】
また、前述したように、本実施形態のフィルタ部材１１は、ポリオレフィン系繊維からなる不織布が誘電分極された（エレクトレット処理された）シートである。このように、電荷により捕集機能を有するフィルタ部材１１は、アルコールの付着により捕集機能が軽減してしまう。
【００８４】
そのため、上記のフィルタ部材１１を採用する場合、吸熱剤３０は、アルコールを含まないことが好ましい。そうすることで、フィルタ部材１１の捕集効果が軽減してしまうことを防止できる。例えば、吸熱剤３０に含まれる溶媒は、水系溶媒であることが好ましい。また、例えば、アルコール系溶媒に吸熱成分を溶解，分散した溶液を肌側不織布１２に塗布する場合、マスク１の製造ラインにおいて、アルコール系溶媒が気化した後に、肌側不織布１２をフィルタ部材１１に合流させるとよい。そうして、マスク１における吸熱剤３０にはアルコールが含まれないようにするとよい。
【００８５】
また、吸熱剤３０は、不揮発性であることが好ましい。そうすることで、マスク１の使用前からフィルタ部材１１側に吸熱剤３０が揮発して、フィルタ部材１１に吸熱剤３０が付着し、フィルタ部材１１の捕集機能が軽減してしまうことを抑制できる。不揮発性の吸熱剤３０とは、一般生活環境化で気体とならず、沸点が１００℃以上である物質とする。
【００８６】
また、フィルタ部材１１は、肌側不織布１２に比べて、吸熱剤３０の坪量が低いことが好ましく、より好ましくは、フィルタ部材１１には吸熱剤３０が配されていないとよい。そうすることで、着用者に近い肌側不織布１２に多くの吸熱剤３０が配されることになる。そのため、吸熱剤３０は着用者の息と接触しやすく、冷感効果が高まる。また、着用者に近い位置にて吸熱反応が起こるため、マスク１内の空間温度が下がりやすく、着用者は冷感を実感しやすくなる。また、フィルタ部材１１に吸熱剤３０が付着していることによりフィルタ部材１１の捕集機能が軽減してしまうことを抑制できる。
【００８７】
フィルタ部材１１と肌側不織布１２に配される吸熱剤３０の坪量の比較は、周知の方法で行うことができる。例えば、コールドスプレー等を用いてマスク１からフィルタ部材１１と肌側不織布１２を分離し、それぞれに竹炭やココアパウダーなどの有色の細かい粒子を撒いた後に、粒子を払う方法がある。吸熱剤３０が配置された部分には粒子が多く付着する。そのため、フィルタ部材１１と肌側不織布１２に付着した粒子の量を比較することで、吸熱剤３０の坪量を比較することができる。
【００８８】
その他、フィルタ部材１１と肌側不織布１２それぞれに蒸気を当てて、それぞれの表面温度を比較してもよい。具体的には、フィルタ部材１１及び肌側不織布１２をそれぞれ所定のサイズに切り出してサンプルを作成し、ビーカーのような２つの容器に水を入れ、各サンプルで容器に蓋をする。サンプル上に温度センサーを取り付け、その上からラップフィルム等で覆った２つの容器を、４０度に温めたウォーターバスに入れ、各サンプルの温度を比較する。吸熱剤３０の坪量が多いサンプルの方が、時間経過に伴って、吸熱剤３０の吸熱反応によりサンプルの温度が下がる。
【００８９】
また、上記の方法を利用して、肌側不織布１２の肌側面に吸熱剤３０が塗布されていることを確認してもよい。例えば、粒子を撒く方法においては、肌側不織布１２の肌側面に粒子が付着していれば、肌側不織布１２の肌側面に吸熱剤３０が塗布されていることを確認できる。また、蒸気を当てて温度を測定する方法においては、肌側不織布１２と同じ構成の不織布であり、吸熱剤３０が配されていない不織布を準備する。その不織布の温度よりも、肌側不織布１２の肌側面の温度が低い場合には、肌側不織布１２の肌側面に吸熱剤３０が塗布されていることを確認できる。
【００９０】
また、マスク本体部１０において、フィルタ部材１１の外周端と、肌側不織布１２の外周端とが一致していることが好ましい。本実施形態のマスク１では、図１に示すように、フィルタ部材１１の左端１１ｃと肌側不織布１２の左端１２ｃとが一致し、フィルタ部材１１の右端１１ｄと肌側不織布１２の右端１２ｄとが一致している。また、図２に示すように、フィルタ部材１１の上端１１ａと肌側不織布１２の上端１２ａとが一致し、フィルタ部材１１の下端１１ｂと肌側不織布１２の下端１２ｂとが一致している。なお、上下の折り返し部１０１のシートの厚み分の位置ずれは含まないとする。また、折り返し部１０１における上下方向中央側の端１０１ａ，１０１ｂでは、フィルタ部材１１の端と肌側不織布１２の端とがずれていてもよい。
【００９１】
上記によれば、マスク本体部１０の平面の広範囲に亘り、肌側不織布１２及び吸熱剤３０を配することができる。よって、マスク１内の空間の広範囲の温度を、吸熱剤３０により低下させることができる。また、マスク本体部１０の平面の広い範囲に亘り、フィルタ部材１１を配することができ、捕集効果が得られる。ただし上記に限定されず、フィルタ部材１１の外周端と肌側不織布１２の外周端とがずれていてもよい。
【００９２】
また、第１実施形態のマスク１は、マスク本体部１０の上下方向の中央部において、フィルタ部材１１及び肌側不織布１２がプリーツ状に折り畳まれている。マスク１の着用時において、マスク本体部１０の左右方向の中央部ではプリーツ部分が上下方向に広げられる。しかし、マスク本体部１０の左右方向の両側部では、フィルタ部材１１及び肌側不織布１２がプリーツ状に折り畳まれた状態で溶着部１４により接合されている。また、マスク本体部１０の左右方向の両側部では、フィルタ部材１１及び肌側不織布１２の上下端部が折り返された状態で溶着部１４により接合されている。
【００９３】
つまり、マスク本体部１０の左右方向の両側部では、マスク１の着用時にも、図２に示す断面の状態が維持される。具体的には、上下端部では、折り返し部１０１によって、肌側不織布１２が厚さ方向に２層に重なっている。上下方向の中央部は、プリーツによって、肌側不織布１２が厚さ方向に３層に重なっている部分を有する。
【００９４】
そのため、肌側不織布１２に一定に吸熱剤３０を配することで、肌側不織布１２が２層に重なる上下端部に比べて、肌側不織布１２が３層に重なる上下方向の中央部において、吸熱剤３０の坪量（ｇ／ｍ２）を高くすることができる。
【００９５】
マスク本体部１０の左右方向の両側部のうちの上下端部には、耳掛け部２０が接合されている。そのため、上下端部は、上下方向の中央部に比べて、耳掛け部２０の伸長力により着用者の肌に密着しやすく、着用者は吸熱剤３０の冷感効果を実感しやすい。一方、上下方向の中央部は、着用者の鼻孔や口元に近いため、蒸れ易いが、吸熱剤３０が着用者の湿った息と接触しやすい。そこで、吸熱剤３０の坪量を上記のようにするとよい。そうすることで、マスク本体部１０の左右方向の両側部において、上下方向の中央部は、着用者の肌への密着度が低いが、着用者の息がより多くの吸熱剤３０と接触するため、冷感効果が高まり、着用者は冷感を実感しやすくなる。また、マスク本体部１０の左右方向の両側部のうちの上下方向の中央部は、上下端部に比べると密着度は低いが、着用者の頬に接触する。そのため、その部分において吸熱剤３０の坪量を高くすることで、着用者は冷感を実感しやすくなる。
【００９６】
また、マスク１の着用時において、マスク本体部１０の左右方向の中央部ではプリーツ部分が上下方向に広げられるが、完全に広げられることはなく、一部では肌側不織布１２が３層に重なる。そのため、マスク本体部１０の左右方向の中央部においても、上下端部に比べて、上下方向の中央部の方が、吸熱剤３０の坪量（ｇ／ｍ２）が高くなる。よって、着用者の息がより多くの吸熱剤３０と接触するため、冷感効果が高まる。
【００９７】
換言すると、プリーツ状の折り目Ｆを有するマスク１では、マスク本体部１０の上下方向の中央部において、肌側不織布１２を厚さ方向に３層に積層できる。そのため、肌側不織布１２に一定に吸熱剤３０を配していても、マスク本体部１０の上下端部に比べて、上下方向の中央部の吸熱剤３０の坪量を高くすることができる。その結果、マスク１の上下方向の中央部の冷感効果を高めることができる。
【００９８】
また、図２に示すように、マスク本体部１０の上端部及び下端部は、フィルタ部材１１及び肌側不織布１２が非肌面側に折り返された折返し部１０１を有することが好ましい。そして、厚さ方向に折返し部１０１と重なる非折返し部１０２の肌側面１０２Ａ、すなわち、肌側不織布１２の肌側面に、吸熱剤３０が配されていることが好ましい。
【００９９】
マスク本体部１０の上下端部が非肌面側に折り返されることで、マスク本体部１０の上下端部においてフィルタ部材１１が肌側不織布１２を肌側から覆ってしまうことを防止できる。つまり、マスク本体部１０の上下端部において、吸熱剤３０が配された肌側不織布１２を肌側に露出させることができる。よって、着用者に近い位置にて吸熱剤３０の吸熱反応が起こるため、着用者は冷感を実感しやすくなる。特に、マスク本体部１０の上下端部は、上下方向の中央部に比べて着用者の肌に密着しやすいので、着用者は冷感をより実感しやすくなる。
【０１００】
また、上記のように、マスク本体部１０の上端部が非肌面側に折り返される場合、上端部の折返し部１０１の非肌側面（外側面）１０１Ａ、すなわち肌側不織布１２の非肌側面にも吸熱剤３０が配されていることが好ましい。
【０１０１】
着用者の吐いた息は温かいため、マスク本体部１０の外に排出された着用者の息は上昇しやすい。そのため、マスク本体部１０の外に排出された息が、マスク本体部１０の上端部の非肌側面１０１Ａに配された吸熱剤３０と接触ができる。よって、マスク本体部１０の上端部付近の温度を下げることができ、着用者は冷感を実感しやすくなる。また、マスク本体部１０の外に排出された息の温度も下がるため、着用者の眼鏡が曇り難くなる。
【０１０２】
ただし、上記の構成に限定されない。例えば、マスク本体部１０の上端部及び下端部が肌面側に折り返されていてもよいし、マスク本体部１０の上端部及び下端部の一方のみが非肌面側に折り返されていてもよい。また、上側の折り返し部１０１の非肌側面に吸熱剤３０が配されていなくてもよい。
【０１０３】
また、第１実施形態のマスク１の耳掛け部２０（ゴム紐）は、マスク本体部１０の非肌側面に、接合部１６によって接合されている。この場合、耳掛け部２０が肌側不織布１２を肌側から覆ってしまうことを防止できる。よって、吸熱剤３０が配された肌側不織布１２を着用者に近い位置に配することができる（肌側に露出させることができる）。よって、耳掛け部２０の接合部１６においても、着用者に近い位置にて吸熱剤３０の吸熱反応が起こるため、着用者は冷感を実感しやすくなる。特に、耳掛け部２０の接合部１６に対応する肌側不織布１２の部分は、耳掛け部２０の伸長力により着用者の肌に密着しやすいので、着用者は冷感をより実感しやすくなる。
【０１０４】
＝＝第２実施形態＝＝
図４Ａは、第２実施形態の使い捨てマスク２（以下「マスク」とも呼ぶ）の折り畳み状態を示す平面図であり、図４Ｂは、展開状態のマスク２の正面図である。図５は、着用状態のマスク２の正面図である。図６は、着用状態のマスク２を上から見た概略図である。以下、第２実施形態のマスク２のうち第１実施形態のマスク１と異なる部分について主に説明する。
【０１０５】
第２実施形態のマスク２は、マスク本体部４０と、耳掛け部５０を有する。マスク本体部４０は、マスク２の展開状態及びマスク２の着用状態において、上下方向、及び、左右方向を有し、着用者の対向する側を肌側（肌面側）とし、その反対側を非肌側（非肌面側）とする。また、マスク本体部４０は、着用者の右顔面及び左顔面をそれぞれ覆う一対のシート部４３，４４と、一対のシート部４３，４４を互いに接合する接合部４５と、形状保持部材４６と、一対のシート部４３，４４に耳掛け部５０を接合する接合部４７を有する。接合部４５，４７は、溶着、圧搾、接着剤等の周知の方法で接合できる。
【０１０６】
図４Ａに示すように、一対のシート部４３，４４は、互いの肌側面が対向するように重ね合わされた状態で、一対のシート部４３，４４の端縁４３ａ，４４ａに沿った接合部４５により接合されている。その端縁４３ａ，４４ａは外側に向かって凸な曲線形状である。そのため、折り畳み状態（平面状）のマスク２を、一対のシート部４３，４４が離間するように展開すると（図４Ｂ）、マスク本体部４０は、その肌側面が凹んだ立体形状（カップ形状）となる。
【０１０７】
また、第２実施形態のマスク２は、第１実施形態のマスク１と同様に、使い捨て用として使用されることを想定したマスクである。そして、マスク本体部４０（一対のシート部４３，４４）は、図６に示すように、ウィルス飛沫及び細菌飛沫の少なくとも一方を捕集するフィルタ部材４１と、フィルタ部材４１の肌面側に設けられ、かつ、吸熱剤３０が配された肌側不織布（不織布）４２を有する。
【０１０８】
そのため、着用者の湿った息が肌側不織布４２の吸熱剤３０に接触すると、吸熱剤３０が吸熱反応を起こし、マスク２内の空間温度が下がるため、マスク２内の蒸れを改善できる。特に、第２実施形態のマスク２は着用時に立体形状となり、マスク２と着用者との間に空間が生じやすい。そのため、吸熱剤３０によりマスク２内の空間温度を下げることで、着用者は冷感を実感しやすくなる。
【０１０９】
また、一対のフィルタ部材４３，４４は、それぞれの上端部であって、フィルタ部材４１と肌側不織布４２の間に形状保持部材４６を有する。そのため、マスク２内の空間の密閉度が高まり、冷感効果やその持続性が高まる。ただし、マスク２は形状保持部材４６を有していなくてもよい。
【０１１０】
また、一対のフィルタ部材４３，４４は、平面上に重ね合わされた状態（図４Ａ）で接合部４５にて接合されている。そのため、図６に示すように、マスク２の着用状態において、接合部４５からフィルタ部材４３，４４の端縁４３ａ，４４ａまでの領域（すなわちフィルタ部材４３，４４のつなぎ目部分）において、肌側不織布４２が２層に重ねられた状態が維持される。そのため、肌側不織布４２に一定に吸熱剤３０を配することで、接合部４５からフィルタ部材４３，４４の端縁４３ａ，４４ａまでの領域を、それ以外の領域に比べて、吸熱剤３０の坪量が高い高坪量部４８にすることができる。なお、吸熱剤３０の坪量の比較方法は前述の比較方法と同様に行うことができる。
【０１１１】
このように、マスク１の着用状態（図５）において、マスク本体部４０の左右方向の中央部４０１が、左右方向の両端部４０２に比べて吸熱剤３０の坪量が高い高坪量部４８を有することが好ましい。そうすることで、着用者の息により蒸れやすいマスク２の左右方向の中央部（鼻孔や口元部分）において、より多くの吸熱剤３０が着用者の息と接触でき、冷感効果が高まる。よって、マスク２内の空間温度がより低下して、マスク２内の蒸れを改善でき、着用者が冷感を実感しやすくなる。
【０１１２】
さらに、肌側不織布１２が２層に重ねられている吸熱剤３０の高坪量部４８（すなわちフィルタ部材４３，４４のつなぎ目部分）は、マスク本体部４０の上端４０ａから下端４０ｂまで上下方向に連続して配されているとよい。
【０１１３】
着用時に立体形状（カップ状）となる第２実施形態のマスク２では、マスク本体部４０の左右方向の中央部において、着用者との間に空間が生じやすい。そのため、マスク本体部４０の左右方向の中央部において、吸熱剤３０の高坪量部４８を上下方向に長く設けるとよい。そうすることで、マスク２内の空間に溜まった着用者の息がより多くの吸熱剤３０と接触でき、冷感効果が高まる。
【０１１４】
また、第２実施形態のマスク２の耳掛け部５０は、耳を掛けるための開口部５１が形成された伸縮性シートである。耳掛け部５０は、図６に示すように、接合部４７によって、マスク本体部４０の肌側面に接合されている。この場合、吸熱剤３０が配された肌側不織布１２の肌側面が耳掛け部５０に覆われてしまう。ただし、耳掛け部５０が接合されている肌側不織布１２の部分は、耳掛け部５０の伸長力によって着用者の肌への密着度が高い。そのため、耳掛け部５０で吸熱剤３０が覆われていても、着用者は冷感を実感できる。また、着用者の肌への密着度が高い部分において、吸熱剤３０が着用者の肌に直接に触れないことで、着用者の肌への刺激も軽減できる。
【０１１５】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【符号の説明】
【０１１６】
１、２  （使い捨て）マスク、
１０  マスク本体部、１１、フィルタ部材、１２  肌側不織布（不織布）、
１３  サイドシート、１４  溶着部、１５  形状保持部材、１６  接合部、
２０  耳掛け部、
３０  吸熱剤、
４０  マスク本体部、４１  フィルタ部材、４２  肌側不織布（不織布）、
４３、４４  一対のシート部、４５  接合部、４６  形状保持部材、
４７  接合部、４８  高坪量部、
５０  耳掛け部、
【要約】
【課題】マスク内の蒸れを改善し、着用者が冷感を実感しやすい使い捨てマスクを提供すること。
【解決手段】マスク本体部（１０、４０）と、着用者の耳に掛けられる耳掛け部（２０、５０）と、を有し、前記マスク本体部（１０、２０）は、ウィルス飛沫及び細菌飛沫の少なくとも一方を捕集するフィルタ部材（１１、４１）と、前記フィルタ部材（１１、４１）の肌面側に設けられ、かつ、吸熱剤（３０）が配された不織布（１２、４２）と、を有することを特徴とする使い捨てマスク（１、２）。
【選択図】図２【図１】
0006862078.tif 000002
【図２】
0006862078.tif 000003
【図３】
0006862078.tif 000004
【図４】
0006862078.tif 000005
【図５】
0006862078.tif 000006
【図６】
0006862078.tif 000007